(57)【要約】【課題】構造が簡単になり、損傷が起き難いイジェクト機構が配置され、省スペース化が図れるカード用コネクタを提供する。【解決手段】本発明は、少なくともの二種のカードを同時に収容するカード用コネクタにおいて、取付部を有する第１絶縁本体と、前記第１絶縁本体を覆うハウジングと、前記第１絶縁本体に積み重ねるように配置される第２絶縁本体と、前記第１絶縁本体と第２絶縁本体の間に配置されるベース部材と、前記第２絶縁本体とベース部材により形成されたスペースと前記ベース部材に取付けられ、前記スペースに突出する導電端子を有する端子モジュールとを含み、前記取付部には、イジェクト機構が実装される。【選択図】図３
2008270210.tif 000002
【特許請求の範囲】
【請求項１】
少なくともの二種のカードを同時に収容するカード用コネクタにおいて、
取付部を有する第１絶縁本体と、
前記第１絶縁本体を覆うハウジングと、
前記第１絶縁本体に積み重ねるように配置される第２絶縁本体と、
前記第１絶縁本体と第２絶縁本体の間に配置されるベース部材と、
前記第２絶縁本体とベース部材により形成されたスペースと、
前記ベース部材に取付けられ、前記スペースに突出する導電端子を有する端子モジュールと
を含み、
前記取付部には、イジェクト機構が実装され、
前記イジェクト機構は、心臓状のレールが設けられたスライド部材と、前記レールに移動自由に保持されるレバー部材と、前記カードに当接できるイジェクト部と、スライド部材をカード離脱方向に常時弾発付勢するばね部材と、を含み、
カードを挿入する際に、カードの先端が前記イジェクト機構のイジェクト部を押して、前記レバー部材が嵌合位置まで移動するとともにカードが完全に挿入され、カードをイジェクトする際に、再度にカードを挿入方向に沿って押して、前記レバー部材が離脱位置までに移動するとともにイジェクト部によりカードがイジェクトされることを特徴とするカード用コネクタ。
【請求項２】
前記第１絶縁本体は、基部と、前記基部の一側に一体に成型された取付部を含み、該取付部の一端にて三角形のガイド部材に連接していることを特徴とする、請求項１に記載のカード用コネクタ。
【請求項３】
前記取付部は、前記第２絶縁本体に積み重なるように配置され、前記取付部及び第２絶縁本体の間は前記ベース部材により離隔していることを特徴とする、請求項１に記載のカード用コネクタ。
【請求項４】
前記第１絶縁本体の取付部には、前記イジェクト機構を実装するための収容溝が形成され、前記収容溝の底部にはスリットが設けられ、前記イジェクト機構のイジェクト部が前記スリットを貫通して、前記スペースに突出していることを特徴とする、請求項１に記載のカード用コネクタ。
【請求項５】
前記取付部には、少なくとも一つのイジェクト機構を実装することを特徴とする、請求項４に記載のカード用コネクタ。
【請求項６】
前記収容溝の前後端の内側壁には、位置決め孔及び位置決め柱がそれぞれ形成され、前記ばね部材の一端が位置決め柱に保持され、前記レバー部材の一端が位置決め孔に保持されることを特徴とする、請求項４に記載のカード用コネクタ。
【請求項７】
前記ばね部材は、前記収容溝の内側面と前記スライド部材との間に圧縮可能に当接していることを特徴とする、請求項６に記載のカード用コネクタ。
【請求項８】
前記イジェクト部は、前記スライド部材の底部から一体に下向きに延出するように形成されることを特徴とする、請求項１に記載のカード用コネクタ。
【発明の詳細な説明】
【技術分野】
【０００１】
本発明は、カード用コネクタに関し、特に積み重ね可能なカード用コネクタに関するものである。
【背景技術】
【０００２】
従来技術のカード用コネクタは、特許文献１に示すように、第１カードコネクタと、第１カードコネクタに積み重ねる下方の第２カードコネクタとを有し、第１カードコネクタにイクスプレスカード（Express Card）を収容し、第２カードコネクタにスマートカード(Smart Card)を収容している。第１カードコネクタは、複数の第１導電端子を装着された第１絶縁本体と、第１絶縁本体を覆っているハウジングとを有し、第２カードコネクタは、複数の第２導電端子を装着された第２絶縁本体を含む。前記第１絶縁本体とハウジングにより第１カードを収容するための第１スペースが形成され、第２絶縁本体に第２カードを収容するための第２スペースが形成される。イクスプレスカード及びスマートカードをカードコネクタからイジェクトするように、前記ハウジングの両側にイジェクトバーが平行にスライド可能にそれぞれ配置され、イジェクトバーは、カード用コネクタの外側に突出する操作ボタンとカードに当接するための回転レバーが設けられる。
【特許文献１】台湾実用新案登録第２７５５９０号
【発明の開示】
【発明が解決しようとする課題】
【０００３】
しかしながら、スマートカードの厚さが薄いため、スマートカードを収容する第２カードコネクタの高さが低く、カード用コネクタが低性化している。そのため、スマートカードをイジェクトするためのイジェクトバーがイクスプレスカードを収容する第１カードコネクタの一側に配置されるので、カード用コネクタが大型になり、スペースを占用する。また、イジェクトバーの操作ボタンがカード用コネクタの外側に突出するので、操作ボタンが衝突されて損害し易い問題がある。そこで、上記欠点に鑑みて、新型のカード用コネクタを開発することが必要である。
【０００４】
本発明は、構造が簡単になり、損傷が起き難いイジェクト機構が配置され、省スペース化が図れるカード用コネクタを提供することを目的とする。
【０００５】
本発明は、スマートカードを便利にイジェクトするためのカード用コネクタを提供することを他の目的とする。
【課題を解決するための手段】
【０００６】
前記目的を達成するために、本発明は、少なくとも二種のカードを同時に収容するカード用コネクタにおいて、取付部を有する第１絶縁本体と、前記第１絶縁本体を覆うハウジングと、前記第１絶縁本体に積み重ねるように配置される第２絶縁本体と、前記第１絶縁本体と第２絶縁本体の間に配置されるベース部材と、前記第２絶縁本体とベース部材により形成されたスペースと前記ベース部材に取付けられ、前記スペースに突出する導電端子を有する端子モジュールとを含み、前記取付部には、イジェクト機構が実装され、前記イジェクト機構は、心臓状のレールを設けられるスライド部材と、前記レールに移動自由に保持されるレバー部材と、前記カードに当接できるイジェクト部と、スライド部材をカード離脱方向に常時弾発付勢するばね部材と、を含み、カードを挿入する際に、カードの先端が前記イジェクト機構のイジェクト部を押して、前記レバー部材が嵌合位置まで移動するとともにカードが完全に挿入され、カードをイジェクトする際に、再度カードを挿入方向に沿って押して、前記レバー部材が離脱位置まで移動するとともにイジェクト部によりカードがイジェクトされることを特徴とするカード用コネクタ。
【発明の効果】
【０００７】
従来の技術に比べると、本発明は以下の長所がある。イジェクト機構が第１絶縁本体の取付部に実装されプッシュ・プッシュ操作によりカードをイジェクトするので、イジェクト機構が損傷し難く、スマートカードは便利にイジェクトされる。また、イジェクトバーを設けないので、省スペース化が図れる。
【発明を実施するための最良の形態】
【０００８】
図１〜図５に基づいて、本発明のカード用コネクタ１００について説明する。該カード用コネクタ１００は伝送速度が互いに異なる二種のカードを収容するのに用いられ、上方に配置される第１コネクタ１０１と第１コネクタ１０１に積み重ねるように配置された下方の第２コネクタ１０２と、第１コネクタ１０１及び第２コネクタ１０２を保持するための保持部材８とを有する。第１コネクタ１０１は、ハウジング１と、ハウジング１に覆われ、ハウジング１の下方に配置される第１絶縁本体２と、第１絶縁本体２に装着された第１導電端子３と、第１イジェクト機構７'と、を含む。第２コネクタ１０２は、第２絶縁本体５と、ハウジング１及び第２絶縁本体５の間に配置するベース部材４と、端子モジュール４５と、第１絶縁本体２に実装される第２イジェクト機構７と、を含む。ハウジング１及び第１絶縁本体２は、幅が広い先端と幅が狭い後端とを有する第１スペース９を形成し、ベース部材４及び第２絶縁本体５は、第２スペース９'を形成する。第１スペース９の先端及び後端の幅が異なるので、後端の一側に切り欠け部（参照記号なし）を形成する。第１コネクタ１０１がイクスプレスカードを収容するのに用いられ、第２コネクタ１０２がスマートカードを収容するのに用いられる。
【０００９】
図２を参照すると、前記ハウジング１は、金属板からなり、主体部１０と、主体部１０から折曲がるように延出する側板１２を有し、主体部１０に第１スペースに突出する弾性片１１が形成され、主体部１０の後端の両側に固持孔１３がそれぞれ設けられる。
【００１０】
図２及び図３を参照すると、前記第１絶縁本体２は、基部２０と、基部２０から前向きに延出する舌片２８と、基部２０の一側から前向きに延出する取付部２２と、取付部２２から前向きに延出する三角形のガイド部材２１とを含む。前記舌片２８には第１導電端子３が装着されるように端子溝２８０が貫通し形成される。取付部２２が第１スペース９先端の切り欠け部に配置され、該取付部２２により基部１０とガイド部材２１とを連接している。取付部２２に第１イジェクト機構７'、第２イジェクト機構７を実装するために、平行な収容溝２３'、２３がそれぞれ形成され、該収容溝２３、２３'の前後端の内側壁には位置決め孔２５、２５'及び位置決め柱２４、２４'がそれぞれ形成され、その一方の収容溝２３の底部にスリット２６が貫通し設けられる。前記基部２０の両端にハウジング１の固持孔１３に対応した固持孔２７が設けられる。
【００１１】
図３を参照すると、イジェクト機構７、７'は前記収容溝２３、２３'に対応するように実装され、所謂、プッシュ・プッシュ操作によりカードをイジェクトすることを行なうものであり、前記収容溝２３、２３'内でスライド可能なスライド部材７０、７０'と、一端が位置決め孔２５、２５'に保持され、他端がスライド部材７０、７０'の心臓状のレールに移動自由に保持されているレバー部材７２、７２'と、一端が位置決め柱２４、２４'に保持され、他端がスライド部材７０、７０'の位置決め柱（参照記号なし）に保持され、スライド部材７０、７０'をカード離脱方向に常時弾発付勢するばね部材７１、７１'と、をそれぞれ含み、ばね部材７１、７１'は収容溝２３、２３'の内側面とスライド部材７０、７０'の間に圧縮可能に当接している。スライド部材７０、７０'には、カードの先端を当接できるイジェクト部７０１、７０１'がそれぞれ設けられ、第１イジェクト機構７'のイジェクト部７０１'はスライド部材７０'の一側から第１スペース９に突出して、第２イジェクト機構７のイジェクト部７０１がスライド部材７０の底部から延出してスリット２６を貫通するように第２スペース９'に突出している。
【００１２】
第１スペース９にカードを挿入する際に、カードの先端が第１イジェクト機構７'のイジェクト部７０１'に当接して後ろ向きに移動させることによりスライド部材７０'を収容溝２３'内にスライドさせるとともに、レバー部材７２'が前記心臓状のレールで嵌合位置まで移動している。この場合、カードはカード用コネクタ１００の第１スペース９に保持され、第１導電端子３に電気的に接続している。カードを第１スペース９からイジェクトする際に、再度カードを挿入方向へ押した時、前記レバー部材７２'は嵌合位置から離脱し、ばね部材７１'の弾発付勢によりスライド部材７０'をカード離脱方向へスライドさせ、カードはカード用コネクタ１００の第１スペース９からイジェクトされる。第２イジェクト機構７は、第２スペース９'に突出したイジェクト部７０１により第２スペース９'に挿入したカードがイジェクトし、作動原理は前記一方のイジェクト機構７'と同じなので、詳細に説明しない。
【００１３】
図２を参照すると、前記金属板からなるベース部材４は、本体部４０と、本体部４０から折曲って延出する側壁とを有する。本体部４０に第２端子モジュール４５を収容するための開口４１が形成し、開口４１に端子モジュール４５に支持するための支持片４２が形成され、開口４１に隣接する本体部４０に第１絶縁本体２のスリット２６に対応するスリット４４が形成される。第２イジェクト機構７のイジェクト部７０１がスリット２６、４４を貫通し前記第２スペース９'に突出している。端子モジュール４５は第２導電端子６を装着するのに用いられ、本体部４５０と、前後方向に沿って二列に並べる第２導電端子６を収容するための端子溝４５１とが設けられる。
【００１４】
第２絶縁本体５は、ベース部材４の下側に配置され、本体部５０と、本体部５０の両側から上向きに延出した側壁５４と、本体部５０の後端に垂直溝５１と、前記ハウジング１及び第１絶縁本体２の固持孔１３、２７に対応した固持孔５３とを設けられ、垂直溝５１には複数の端子通路５２０が設けられた間隔部材５２が配置され、第１導電端子３及び第２導電端子６の端子部（参照記号なし）が前記間隔部材５２の端子通路５２０を貫通して回路基板（図示せず）に電気的に接続している。
【００１５】
図１乃至図４を参照すると、取付ける際において、イジェクト機構７、７'が第１絶縁本体２の収容溝２３、２３'にそれぞれ収容され、ハウジング１が第１絶縁本体２に係合して覆い、ハウジング１の弾性片１１が前記イジェクト機構７、７'のレバー部材７２、７２'をそれぞれ押圧して、レバー部材７２、７２'がスライド部材７０、７０'のレールから外れることを防止できる。次に、ベース部材４は凸部及び開口（参照記号なし）により第２絶縁本体５に係合し、さらにスマートカードを収容するための第２スペース９を形成している。最後に、ネジ等によりハウジング１の固持孔１３と、第１絶縁本体２の固持孔２７と、第２絶縁本体５の固持孔５３を順に通過することにより、第１カードコネクタ１０１及び第２カードコネクタ１０２に固持され、一対の保持部材８により第１カードコネクタ１０１及び第２カードコネクタ１０２が積み重なるように保持される。
【００１６】
使用する際に、カードを挿入方向にそってスペースに挿入し、カードをイジェクトしたい時に前記挿入方向に沿って再度カードを押すとイジェクトされた。所謂、プッシュ・プッシュ操作によりカードをイジェクトすることを行なうものは、業界において熟知し使用されているので、ここでは、詳細に説明しない。
【００１７】
プッシュ・プッシュ操作によりカードをイジェクトする第１イジェクト機構７'及び第２イジェクト機構７は第１絶縁本体２の取付部２２の収容溝２３'、２３にそれぞれ独立に実装されるので、構造が簡単になり、組付け操作が便利になり、省スペース化に役立っている。また、スマートカードをイジェクト機構７が第１絶縁本体１のベース体２２の収容溝２３に実装し、従来技術に較べて、カード用コネクタ１００の高さが減少し、小型化に役立っている。
【図面の簡単な説明】
【００１８】
【図１】本発明に係るカード用コネクタの組立斜視図である。
【図２】本発明に係るカード用コネクタの分解斜視図である。
【図３】本発明に係るカード用コネクタの絶縁本体とイジェクト機構の分解斜視図である。
【図４】本発明に係る第２絶縁本体を外したカード用コネクタの斜視図である。
【図５】本発明に係るカード用コネクタの部分の分解斜視図である。
【符号の説明】
【００１９】
１００  カード用コネクタ
１０１  第１カードコネクタ
１０２  第２カードコネクタ
１  ハウジング
１０  主体部
１１  弾性片
１２  側板
１３  固持孔
２  第１絶縁本体
２０  基部
２１  ガイド部材
２２  取付部
２３、２３'  収容溝
２４、２４'  位置決め柱
２５、２５'  位置決め孔
２７  固持孔
３  第１導電端子
４  ベース部材
４０  本体部
４１  開口
４２  支持片
４４  スリット
４５  端子モジュール
４５０  本体部
４５１  端子溝
５  第２絶縁本体
５０  本体部
５１  垂直溝
５２  間隔部材
５３  固持孔
５４  側壁
５２０  端子通路
６  第２導電端子
７'  第１イジェクト機構
７  第２イジェクト機構
７０、７０'  スライド部材
７１、７１'  ばね部材
７２、７２'  レバー部材
７０１、７０１'  イジェクト部
９  第１スペース
９'  第２スペース
【図１】
2008270210.tif 000003
【図２】
2008270210.tif 000004
【図３】
2008270210.tif 000005
【図４】
2008270210.tif 000006
【図５】
2008270210.tif 000007